(57)【要約】【課題】バーコードリーダは市場でのデータ収集を行うために市場に配布される。配布される範囲は携帯電話が使用されるエリアであり、非常に広範囲に分散してシステムを使用している。このため新規の携帯電話に接続させる目的で、一度市場に配布したバーコードリーダを回収して新規の携帯電話に対応するためにインターネット接続のキー操作情報をバーコードリーダの本体内メモリに追加するためには、回収の為の多くの人手や工数が必要となる。【解決手段】インターネット接続機能付き携帯電話の有するメール機能を利用して、ホスト側装置から、変更追加が必要な携帯型情報端末の内部の情報をメールデータとして送信し携帯電話を経由して、携帯側情報端末に配信する。本データ配信方法を利用することで、広範囲で携帯電話に接続されて稼働する携帯型情報端末の内部に格納される情報を変更する。【選択図】    図２
2004173041.tif 000002
【特許請求の範囲】
【請求項１】
有線または無線によって情報配信を行なうための情報配信部を有するホスト側装置と、前記ホスト側装置から送信された情報を受信する受信部と、この受信した情報を送信する送信部とを有する携帯型通信端末と、前記携帯型通信端末からの情報を受信する受信部と、この受信した情報を格納する格納部とを有する携帯型情報端末とを有するデータ配信システム。
【請求項２】
送信された情報を受信する受信部と、この受信した情報を送信する送信部とからなる携帯型通信端末と、前記携帯型通信端末の機種毎の動作内容を規定する情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、前記携帯型通信端末の任意の機種の動作内容を規定する情報を前記携帯型通信端末に送信し、前記情報が前記携帯型通信端末を介して前記携帯型情報端末の情報格納部に格納されてなるデータ配信システム。
【請求項３】
送信された情報を受信する受信部と、この受信した情報を送信する送信部とからなる携帯型通信端末と、前記携帯型通信端末の機種毎の動作内容を規定する情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、前記携帯型通信端末の要求に応じて前記携帯型通信端末の任意の機種の動作内容を規定する情報を前記携帯通信端末に送信し、前記情報が前記携帯型通信端末を介して前記携帯型情報端末の情報格納部に格納されてなるデータ配信システム。
【請求項４】
携帯型通信端末の動作内容を規定する情報は、前記携帯通信端末の有するキーのキー操作を規定する情報である請求項２または３に記載のデータ配信システム。
【請求項５】
送信された情報を受信する受信部と、この受信した情報を送信する送信部とからなる携帯型通信端末と、携帯型情報端末から携帯型通信端末に対して行う動作を定めた動作設定ファイルを格納する情報格納部と、前記携帯型通信端末からの情報を受信する受信部とを有する携帯型情報端末と、携帯型情報端末から携帯型通信端末に対して行う動作を定めた動作設定ファイルを作成し前記携帯型通信端末に対し、有線または無線によって情報配信を行なうための情報配信部を有するホスト側装置とからなり、前記動作設定ファイル内の情報が前記携帯型通信端末を介して前記携帯型情報端末の情報格納部に格納されてなるデータ配信システム。
【請求項６】
送信された情報を受信する受信部と、この受信した情報を送信する送信部とからなる携帯型通信端末と、携帯型情報端末から携帯型通信端末に対して行う動作を定めた動作設定ファイルを格納する情報格納部と、前記携帯型通信端末からの情報を受信する受信部とを有する携帯型情報端末と、携帯型情報端末から携帯型通信端末に対して行う動作を定めた動作設定ファイルを作成し前記携帯型通信端末に対し、有線または無線によって前記動作設定ファイルを含む情報の情報配信を行なうための情報配信部を有するホスト側装置とからなり、前記携帯型情報端末は前記携帯型通信端末を介して得た情報から前記携帯型通信端末の動作設定に必要な情報を引き出し前記情報格納部に格納するデータ配信システム。
【請求項７】
送信された情報を受信する受信部と、この受信した情報を送信する送信部とからなる携帯型通信端末と、携帯型情報端末から携帯型通信端末に対して行う動作を定めた動作設定ファイルを格納する情報格納部と、前記携帯型通信端末からの情報を受信する受信部とを有する携帯型情報端末と、前記携帯型通信端末からの要求により格納される動作設定ファイルを前記携帯型通信端末に対し、有線または無線によって情報配信を行なうための情報配信部を有するホスト側装置とからなり、前記動作設定ファイル内の情報が前記携帯型通信端末を介して前記携帯型情報端末の情報格納部に格納されてなるデータ配信システム。
【請求項８】
携帯型情報端末の動作設定ファイルには、携帯型通信端末が有するキーのキー操作が規定される情報を含む請求項５、６または７何れかに記載のデータ配信システム。
【請求項９】
情報携帯端末は、情報読取装置である請求項１から８いずれかに記載のデータ配信システム。
【請求項１０】
送信された情報を受信する受信部と、この受信した情報を送信する送信部とからなる携帯型通信端末と、任意の商品またはサービスの価格等の情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、任意の商品またはサービスの価格等の情報を配信し、前記情報が前記携帯型通信端末を介して前記携帯型情報型端末の情報格納部に格納されてなるデータ配信システム。
【請求項１１】
送信された情報を受信する受信部と、この受信した情報を送信する送信部とからなる携帯型通信端末と、任意の商品またはサービスの価格等の情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、任意の商品またはサービスの価格等の情報を含む送信ファイルを作成配信し、前記情報が前記携帯型通信端末を介して前記携帯型情報端末の情報格納部に格納されてなるデータ配信システム。
【請求項１２】
送信された情報を受信する受信部と、この受信した情報を送信する送信部とからなる携帯型通信端末と、任意の商品またはサービスの価格等の情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、前記携帯型通信端末からの要求によって任意の商品またはサービスの価格等の情報を配信し、前記情報が前記携帯型通信端末を介して前記携帯型情報端末の情報格納部に格納されてなるデータ配信システム。
【請求項１３】
携帯型情報端末は情報読取装置である請求項１０から１２何れかに記載のデータ配信システム。
【発明の詳細な説明】
【０００１】
【発明の属する技術分野】
本発明は、有線または無線によって情報配信を行うための情報配信部を有するホスト側装置と、前記ホスト側装置から送信された情報を受信する受信部と、この受信した情報を送信する送信部とを有する携帯型通信端末と、前記携帯型通信端末からの情報を受信する受信部と、この受信した情報を格納する格納部とを有する携帯型情報端末とを有するデータ配信方法に関するものである。
【０００２】
【従来の技術】
従来、バーコードリーダ等に代表される携帯型情報端末と、インターネット接続機能付き携帯電話に代表される携帯型通信端末と、Ｗｅｂサーバやメールサーバやパーソナルコンピュータ等に代表されるホスト側装置とを用いて、バーコードリーダで読み取ったデータを携帯電話を経由してホスト側装置に送信しデータ収集することが行われていた。（例えば特許文献１）。
【０００３】
バーコードリーダからホスト側へのデータ転送の方法は、携帯電話を利用しインターネットに接続してホスト側が有するＷｅｂ画面を表示し、この画面中にデータ入力する方法が採用されている。
【０００４】
携帯電話を用いてインターネットに接続する方法としては、バーコードリーダからインターネット接続に必要な携帯電話のキー操作情報を送信し、携帯電話が有するインターネット接続に関する機能を利用する方法がある。
【０００５】
市場に存在する携帯電話は、各携帯電話機器メーカ毎にインターネット接続に必要なキー操作情報が異なる。バーコードリーダ、携帯電話機種毎のキー操作情報を、本体内部のメモリに有する。利用者は接続する携帯電話に応じたキー操作情報をバーコードリーダから携帯電話に送信するようにバーコードリーダを設定することで、バーコードリーダは接続される携帯電話に適したキー操作情報を携帯電話に送信する。インターネット接続に必要なキー操作情報には、接続するＷｅｂサイトのアドレス情報や該当Ｗｅｂサイト内の各ページでバーコードリーダがどのような動作をするのかを定めたバーコードリーダの動作設定等の情報も含まれている。
【０００６】
【特許文献１】
特開２００２−２３２５５０号公報
【０００７】
【発明が解決しようとする課題】
上記従来の方法では、バーコードリーダは各携帯電話機器メーカから新規の携帯電話が発売される毎に機種操作情報をバーコードリーダの本体内部のメモリに追加する必要があり、これを行なわなければ新規の携帯電話に接続してインターネット接続等の処理を行うことができない。
【０００８】
また、接続するＷｅｂサイトのアドレスやＷｅｂサイト内の各ページでのバーコードリーダの動作を変更したい場合も同様に、バーコードリーダ本体内部のメモリに格納される動作設定情報を変更する必要がある。
【０００９】
バーコードリーダは市場でのデータ収集を行うために市場に配布される。配布される範囲は携帯電話が使用されるエリアであり、非常に広範囲に分散してシステムを使用している。このため新規の携帯電話に接続させる目的で、一度市場に配布したバーコードリーダを回収して新規の携帯電話に対応するためにインターネット接続のキー操作情報をバーコードリーダの本体内メモリに追加するためには、回収の為の多くの人手や工数が必要となる。また、バーコードリーダにキー操作情報を追加するためにはバーコードリーダに精通した担当者がキー操作情報の追加操作を行う必要があり困難である。
【００１０】
同様に、接続するＷｅｂサイトのアドレスやＷｅｂサイト内の各ページでのバーコードリーダの動作を変更したい場合も、バーコードリーダ本体内部のメモリに格納される動作設定情報を変更することは困難である。
【００１１】
本発明は上記課題を解決するもので、バーコードリーダが既に市場に配布された後に、バーコードリーダ本体内部に保持される各種情報を追加あるいは変更可能とするために、前記機種操作情報や動作設定情報を市場のバーコードリーダに送信するデータ配信システムを提供することを目的としている。
【００１２】
【課題を解決するための手段】
上記目的を達成するために、本発明のデータ配信システムは、有線または無線によって情報配信を行なうための情報配信部を有するホスト側装置と、前記ホスト側装置から送信された情報を受信する受信部と、この受信した情報を送信する送信部とを有する携帯型通信端末と、前記携帯型通信端末からの情報を受信する受信部と、この受信した情報を格納する格納部とを有する携帯型情報端末とを有する。
【００１３】
また、本発明のデータ配信システムは、送信された情報を受信する受信部と、この受信した情報を送信する送信部とからなる携帯型通信端末と、前記携帯型通信端末の機種毎の動作内容を規定する情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、前記携帯型通信端末の任意の機種の動作内容を規定する情報を前記携帯通信端末に送信し、前記情報が前記携帯型通信端末を介して前記携帯型情報端末の情報格納部に格納されてなる。
【００１４】
また、本発明のデータ配信システムは、送信された情報を受信する受信部と、この受信した情報を送信する送信部とからなる携帯型通信端末と、前記携帯型通信端末の機種別毎機種の動作内容を規定する情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、前記携帯型通信端末の要求に応じて前記携帯型通信端末の任意の機種の動作内容を規定する情報を前記携帯通信端末に送信し、前記情報が前記携帯型通信端末を介して前記携帯型情報端末の情報格納部に格納されてなる。
【００１５】
また、本発明のデータ配信システムは、携帯型通信端末の動作内容を規定する情報を、前記携帯通信端末の有するキーのキー操作を規定する情報としたものである。
【００１６】
また、本発明のデータ配信システムは、送信された情報を受信する受信部と、この受信した情報を送信する送信部とからなる携帯型通信端末と、携帯型情報端末から携帯型通信端末に対して行う動作を定めた動作設定ファイルを格納する情報格納部と、前記携帯型通信端末からの情報を受信する受信部とを有する携帯型情報端末と、携帯型情報端末から携帯型通信端末に対して行う動作を定めた動作設定ファイルを作成し前記携帯型通信端末に対し、有線または無線によって情報配信を行なうための情報配信部を有するホスト側装置とからなり、前記動作設定ファイル内の情報が前記携帯型通信端末を介して前記携帯型情報端末の情報格納部に格納されてなる。
【００１７】
また、本発明のデータ配信システムは、送信された情報を受信する受信部と、この受信した情報を送信する送信部とからなる携帯型通信端末と、携帯型情報端末から携帯型通信端末に対して行う動作を定めた動作設定ファイルを格納する情報格納部と、前記携帯型通信端末からの情報を受信する受信部とを有する携帯型情報端末と、携帯型情報端末から携帯型通信端末に対して行う動作を定めた動作設定ファイルを作成し前記携帯型通信端末に対し、有線または無線によって前記動作設定ファイルを含む情報の情報配信を行なうための情報配信部を有するホスト側装置とからなり、前記携帯型情報端末は前記携帯型通信端末を介して得た情報から前記携帯型通信端末の動作設定に必要な情報を引き出し前記情報格納部に格納するものである。
【００１８】
また、本発明のデータ配信システムは、送信された情報を受信する受信部と、この受信した情報を送信する送信部とからなる携帯型通信端末と、携帯型情報端末から携帯型通信端末に対して行う動作を定めた動作設定ファイルを格納する情報格納部と、前記携帯型通信端末からの情報を受信する受信部とを有する携帯型情報端末と、前記携帯型通信端末からの要求により格納される動作設定ファイルを前記携帯型通信端末に対し、有線または無線によって情報配信を行なうための情報配信部を有するホスト側装置とからなり、前記動作設定ファイル内の情報が前記携帯型通信端末を介して前記携帯型情報端末の情報格納部に格納されてなる。
【００１９】
また、本発明のデータ配信システムは、携帯型情報端末の動作設定ファイルに携帯型通信端末が有するキーのキー操作が規定される情報を含むものである。
【００２０】
また、本発明のデータ配信システムは、情報携帯端末を情報読取装置としたものである。
【００２１】
また、本発明のデータ配信システムは、送信された情報を受信する受信部と、この受信した情報を送信する送信部とからなる携帯型通信端末と、任意の商品またはサービスの価格等の情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、任意の商品またはサービスの価格等の情報を配信し、前記情報が前記携帯型通信端末を介して前記携帯型情報端末の情報格納部に格納されてなる。
【００２２】
また、本発明のデータ配信システムは、ホスト側装置から配信されたデータを携帯情報端末を利用する業務上のデータとして利用するものである。
【００２３】
また、本発明のデータ配信システムは、送信された情報を受信する受信部と、この受信した情報を送信する送信部とからなる携帯型通信端末と、任意の商品またはサービスの価格等の情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、任意の商品またはサービスの価格等の情報を含む送信ファイルを作成配信し、前記情報が前記携帯型通信端末を介して前記携帯型情報端末の情報格納部に格納されてなる。
【００２４】
また、本発明のデータ配信システムは、送信された情報を受信する受信部と、この受信した情報を送信する送信部とからなる携帯型通信端末と、任意の商品またはサービスの価格等の情報を格納する情報格納部と、前記携帯型通信端末からの情報を受信する受信部とを有する携帯型情報端末と、前記携帯型通信端末に対し、有線または無線によって情報配信を行なうための情報配信部を有するホスト側装置とからなり、前記ホスト側装置は、前記携帯型通信端末からの要求によって任意の商品またはサービスの価格等の情報を配信し、前記情報が前記携帯型通信端末を介して前記携帯型情報端末の情報格納部に格納されてなる。
【００２５】
【発明の実施の形態】
以下、本発明の実施の形態について図面を用いて説明する。
【００２６】
先ず、図１と図２を用いて従来のデータ配信システムについて、携帯型情報端末３０からホスト側装置１０に情報を送信する場合を中心に説明する。
【００２７】
図１は、携帯型情報端末３０と携帯型通信端末２０を利用してホスト側装置１０にてデータを収集するシステムの概略を表す図である。
【００２８】
図１に示す構成を有する従来のデータ配信システムでは、携帯型情報端末３０によって作成されたデータは、携帯型通信端末２０との間の第１の通信手段１を経由することで携帯型通信端末２０に送信され、次に、携帯型通信端末２０から第２の通信手段２を経由してホスト側装置１０に送信される。
【００２９】
ここで、携帯型通信端末２０と携帯型情報端末３０は広範囲のデータを収集する目的として広範囲で使用されるものである。
【００３０】
データ配信システムにおいて、携帯型通信端末２０と携帯型情報端末３０はホスト側装置１０に対して複数存在する。また、携帯型通信端末２０に接続される携帯型情報端末３０も複数存在することができる。
【００３１】
図２は、本実施の形態のデータ配信システムのブロック図である。
【００３２】
図２を用いて従来のデータ配信システムについて説明する。携帯型情報端末３０の内部の情報格納部３１には、携帯型情報端末３０の動作設定を行う動作設定情報３１１と、携帯型通信端末の機種毎のキー操作情報を格納した携帯型通信端末毎の動作情報３１２と、商品情報３１３と、ホスト側装置へ送信する情報３１４が格納されている。
【００３３】
携帯型情報端末３０に設けられた制御手段３６は、ユーザからホスト側装置１０への情報送信指示があった場合、情報格納部３１に格納されているホスト側装置へ送信する情報３１４を取得し、情報格納部３１に格納されている動作情報３１２等の情報と送信部３３を用いて、第１の通信手段１を経由して携帯型通信端末２０に送信する。
【００３４】
ここで、携帯型情報端末３０と携帯型通信端末２０との間の第１の通信手段１は有線での通信でもよいし、赤外線通信などの無線での通信でもよい。
【００３５】
携帯型通信端末２０は、携帯型情報端末３０の通信部３３から送信された上記情報を携帯型通信端末２０に設けられ受信部２６で受信し、この受信部２６は受信したデータを制御手段２１に渡す。そして、制御手段２１は送信部２２を介してホスト側装置１０にデータを送信する。
【００３６】
なお、ホスト側装置１０と携帯型通信端末２０との間の第２の通信手段２は有線通信であっても無線通信であってもよい。
【００３７】
ホスト側装置１０に設けられた受信部１３はホスト側装置１０に設けられた制御手段１２に携帯型通信端末２０から受信したデータを渡す。ここで、制御手段１２は、携帯型情報端末３０に格納されていたホスト側装置へ送信する情報３１４を、ホスト側装置１０に格納する情報１１１として情報格納部１１に格納する。
【００３８】
なお、携帯型情報端末３０の情報格納部３１に格納されているホスト側装置へ送信する情報３１４とは、携帯型情報端末３０に設けられた情報読取手段３４で読み取ったデータや、このデータを加工または蓄積したデータであってもよい。
【００３９】
上記従来システムでは、携帯型情報端末３０と携帯型通信端末２０との間の第１の通信手段１において、携帯型通信端末２０の外部周辺機器であるキーボード等のデータ入力手段をエミュレートしてデータ送信を行う。インターネット接続機能付き携帯電話に代表される携帯型通信端末２０を用いてホスト側装置１０が提供するＷｅｂ画面にデータ入力を行う場合に、携帯型通信端末２０のキー入力部２７であるデータ入力手段をエミュレートすることで比較的容易に、携帯型通信端末２０へのデータ入力を実現できる。
【００４０】
ここで、データ入力手段のエミュレートとは、携帯型情報端末３０から携帯型通信端末２０に送信したデータが、あたかも携帯型通信端末２０のキー入力部２７から入力されたデータとして携帯型通信端末２０の制御手段２１に扱われることを示す。
【００４１】
従って、携帯型情報端末３０に設けられた送信部３３を経由して、携帯型通信端末２０に設けられた受信部２６に送信されたデータは、携帯型通信端末２０に設けられた制御手段２１において、携帯型通信端末２０のキー入力部２７から入力されたデータとして処理される。
【００４２】
携帯型情報端末３０が携帯型通信端末２０を経由してホスト側装置１０に情報を転送する場合には、携帯型通信端末２０が有するインターネット接続機能などのホスト側装置１０との接続機能を利用する必要があり、この機能を起動するためのキー操作情報を、携帯型情報端末３０に設けられた制御手段３６が情報格納部３１に格納される情報と送信部３３を用いて携帯型通信端末２０に送信する。携帯型通信端末２０では、受信部２６で受信したキー操作情報に従い、ホスト側装置１０との接続機能を起動させ、ホスト側装置１０と携帯型通信端末２０との間の第２の通信手段２が確保される。ホスト側装置１０と携帯型通信端末２０との間の第２の通信手段２が確保された後は、携帯型情報端末３０から携帯型通信端末２０を経由して、ホスト側装置１０へ、携帯型情報端末３０の情報格納部３１に格納されるホスト側装置へ送信する情報３１４を送信することが可能となる。また、同様に、携帯型情報端末３０に設けられた情報読取手段３４により取得した情報を、ホスト側装置１０に転送することも可能である。
【００４３】
また、インターネット接続機能付き携帯電話等の携帯型通信端末２０は、一般的にメール送信機能を有している。このメール送信機能を起動するためのキー操作情報を携帯型情報端末３０から携帯型通信端末２０に送信し、携帯型通信端末２０のメール送信機能が起動した後に、携帯型通信端末２０のメールデータ入力画面に対して、携帯型通信端末３０の制御手段３６は、情報格納部３１に格納されているホスト側装置へ送信する情報３１４を携帯型通信端末２０に適合するキー操作情報に変換し、送信部３３を経由して携帯型通信端末２０の受信部２６に送信する。
【００４４】
携帯型通信端末２０において、受信部２６で受信したキー操作情報は、制御手段２１によりメールデータ入力画面に入力される。また、同様の処理によりメール宛先やタイトルが入力される。そして、メール送信に必要なデータが入力された後に、携帯型情報端末３０から携帯型通信端末２０のメール送信機能を起動するためのキー操作情報が送信される。これにより携帯型情報端末３０から携帯型通信端末２０を経由してホスト側装置１０に情報が送信される。
【００４５】
ホスト側装置１０において、受信部１３により携帯型通信端末２０を経由して受信した携帯型情報端末３０内部の情報格納部３１に格納されていたホスト側装置へ送信する情報３１４は、制御手段１２により、ホスト側装置１０に設けられた情報格納部１１にホスト側装置に格納する情報１１１として格納される。
【００４６】
上記のように、携帯型情報端末３０は携帯型通信端末２０をキー操作情報によって制御する。従って、携帯型情報端末３０に接続される携帯型通信端末２０の機種が変更されると、必要となるキー操作情報が異なるため、目的とする機能を呼び出せない等の問題が生じる。
【００４７】
従来のシステムでは、この問題を回避するために、携帯型情報端末３０の情報格納部３１に携帯型通信端末２０毎の動作情報として必要なキー操作情報を格納し、ユーザは携帯型情報端末３０を携帯型通信端末２０に接続するときに、接続する携帯型通信端末２０の機種を携帯型通信端末３０に設定し、携帯型情報端末３０は設定された機種に適合したキー操作情報を、情報格納部３１を参照することで取得して、接続される携帯型通信端末２０に適合したキー操作情報を携帯型通信端末２０に送信するようにしていた。
【００４８】
以上により従来のシステムについての説明を終了し、以下に本発明のデータ配信システムについて、図２と図３を用いて説明する。従来のシステムと同様の箇所は同一の番号を付して詳細な説明を省略する。
【００４９】
本発明のデータ配信システムは、ホスト側装置１０と、携帯型通信端末２０と、携帯型情報端末３０とから構成される。そして、このシステムにより、携帯型通信端末３０に設けられた情報格納部３１に格納される情報の変更や追加する方法について説明する。
【００５０】
ホスト側装置１０はデータ入力手段１４を有しており、制御手段１２により、情報格納部１１に格納されている動作設定情報１１２や携帯型通信端末毎の動作情報１１３や商品情報１１４を、データ入力手段１４で入力された情報に変更することができる。
【００５１】
また、ホスト側装置１０は情報配信部１５を有しており、第２の通信手段２を経由することで、広範囲に分散し使用されている携帯型通信端末２０の特定の機体または全ての機体に対して情報を配信することができる。そして、ホスト側装置１０から配信する情報は、情報格納部１１にファイルとして作成し管理してもよい。
【００５２】
そして、携帯型情報端末３０は、携帯型通信端末２０を介してホスト側装置１０から得た情報をそのまま情報格納部３１に格納してもよいし、その中の一部を抜き出すまたは編集して格納してもよい。
【００５３】
次に、ホスト側装置１０から携帯型通信端末２０を介して携帯型情報端末３０に情報を格納する処理について図３を用いて説明する。
【００５４】
図３は本発明によるデータ配信システムのデータ配信処理のフローチャートである。
【００５５】
先ず、ユーザはホスト側装置１０の情報入力手段１４を利用して、携帯型情報端末３０に転送するための情報をホスト側装置１に入力する（Ｓｔｅｐ１）。
【００５６】
ここで、情報入力手段１４を利用して入力する情報は、携帯型情報端末３０で利用される動作設定情報３１１や携帯型通信端末毎の動作情報３１２や商品情報３１３等である。
【００５７】
また、情報を配信する携帯型通信端末２０を特定するための情報を入力することもでき、この情報は、例えば携帯型通信端末２０のメールアドレスや電話番号や携帯型通信端末固有のＩＤなどが挙げられる。
【００５８】
また、商品情報３１３とは、携帯型情報端末３０の備える情報読取手段３４で読み取った情報を基に検索し、該当する商品名や単価、在庫、提供するサービス等をもとめるために使用する情報である。
【００５９】
また、情報入力手段１４は、ホスト側装置１０を構成するコンピュータに備えられるキーボードであってもよいし、他のコンピュータからインターネットや、Ｅメールを利用して送信され情報を受信するものであってもよい。
【００６０】
また、市場に存在する携帯型情報端末３０から携帯型通信端末２０を経由してホスト側装置１０に送信する情報を、情報入力手段１４を経由して商品情報などに利用することもできる。この情報入力手段１４を利用することで、市場で携帯型情報端末３０を利用して収集することができる情報をホスト側装置１０にて一元的に管理できる。すなわち、商品の在庫情報などをホスト側装置１０で一元的に管理して、携帯型情報端末３０にて前記在庫情報をホスト側装置１０が備える情報配信部１５を経由して参照することで広範囲で利用されている携帯型情報端末３０から現在の在庫情報をほぼリアルタイムに参照することが可能となる。
【００６１】
次に、ホスト側装置１０では情報入力手段１４から入力された情報を情報格納部１１に保存する（Ｓｔｅｐ．２）。この処理はホスト側装置１０の情報格納部１１に情報を保存する必要がない場合は実施しなくてもよい。例えば入力した情報をそのまま携帯型通信端末２０へ配信する場合などがそれに該当する。
【００６２】
次に、ホスト側装置１０は情報配信部１５を介して携帯型通信端末２０に対して情報を配信する（Ｓｔｅｐ．３）。
【００６３】
なお、情報を配信される携帯型通信端末２０は、システムで使用している全ての携帯型通信端末２０に配信してもよいし、情報入力手段１４の入力により特定される携帯型通信端末２０のみに配信してもよい。
【００６４】
また、情報の配信は一般的にホスト側装置１０を起点として行うが、市場で使用されている携帯型情報端末３０から発信された情報要求の情報を携帯型通信端末２０を経由してホスト側装置１０にて受信し、制御手段１２にて配信が必要な情報を判別し、配信要求があった携帯型情報端末３０に配信することもできる。
【００６５】
また、ホスト側装置１０と携帯型通信端末２０との間の第２の通信手段２は、携帯型通信端末２０が有するインターネット機能及びメール機能を利用するが、その他のデータ通信手段を用いてもよい。
【００６６】
次に、携帯型通信端末２０は、ホスト側装置１０により配信された情報を受信し情報格納部２４に格納する（Ｓｔｅｐ．４）。
【００６７】
ここで、一例としては、ホスト側装置１０からメールデータとして配信されたデータがメールデータとして格納される。
【００６８】
次に、携帯型情報端末３０と携帯型通信端末２０のユーザは、ホスト側装置１０から配信された情報が携帯型通信端末２０に着信したことを確認すると、携帯型情報端末３０または携帯型通信端末２０を操作し、携帯型情報端末３０は携帯型通信端末２０に格納された情報を取得する。このとき携帯型通信端末３０と携帯型通信端末２０は第１の通信手段１を経由して、携帯型通信端末２０に格納されている情報を検索する（Ｓｔｅｐ．５）。
【００６９】
この検索の結果、携帯型情報端末３０が取得すべき情報が携帯型通信端末２０内に発見された場合は、携帯型情報端末３０は携帯型通信端末２０の送信部２５を経由して受信部３２により該当情報を取得する（Ｓｔｅｐ．６とＳｔｅｐ．７）。
【００７０】
なお、携帯型情報端末３０と携帯型通信端末２０との間の通信手段は有線でのシリアル通信であっても良いし、携帯型通信端末２０の有する赤外線通信機能等であっても良い。
【００７１】
なお、携帯型情報端末３０と携帯型通信端末２０との間での情報の検索及び転送はユーザの操作を起点として行ったが、携帯型情報端末３０が自動的に携帯型通信端末２０の内部情報を検索するようにしてもよい。
【００７２】
また、携帯型通信端末２０は、ホスト側装置１０からの受信情報を受信後に自動的に携帯型情報端末３０に転送するようにしてもよい。
【００７３】
一方、携帯型情報端末３０が携帯型通信端末２０の情報格納部２４を検索し、該当情報が無かった場合は、携帯型通信端末２０の有する機能を利用してホスト側装置１０に対して該当情報の要求を行う（Ｓｔｅｐ．８）。
【００７４】
なお、該当情報には携帯型情報端末３０の動作設定情報３１１や携帯型通信端末毎の動作情報３１２及び、商品情報３１３などが挙げられる。
【００７５】
そして、この該当情報の要求を行うことにより、携帯型通信端末２０内に該当情報がない場合でもホスト側装置１０に対して自動的に該当情報の要求を行うことができる。
【００７６】
次に、携帯型情報端末３０は、携帯型通信端末２０を経由してサーバ側装置１０から取得した情報を情報格納部３１に格納する（Ｓｔｅｐ．９）。
【００７７】
以上の処理により、サーバ側装置１０に入力した情報を携帯型情報端末３０で受信することができる。
【００７８】
本発明により、従来は困難であった広範囲で稼働する携帯型通信端末２０と携帯型情報端末３０を用いたシステムにおいて、携帯型情報端末３０が必要とする情報の配信を容易に行うことができる。
【００７９】
また、携帯型情報端末３０は、情報読取手段３４から得られた情報を表示部３５に表示する場合に、読み取られた情報だけでなく情報格納部３１に格納される商品情報３１３を検索して、関連する情報を表示させることが可能である。また、新規の携帯型通信端末２０が市場で発売された場合でも、ホスト側装置１０から新規の携帯型通信端末２０毎の動作情報を配信することで、携帯型情報端末３０に新規の携帯型通信端末２０に適合した動作情報、キー操作情報を転送することが可能である。
【００８０】
また、携帯型情報端末３０で有している情報の送信に必要なＷｅｂサイトのＵＲＬなどを含む動作設定情報においても、前記データ配信の方法を利用することで容易に取得することができる。
【００８１】
本実施の形態のデータ配信システムにより、広範囲で稼働する携帯型通信端末２０と携帯型情報端末３０及びホスト側装置１０を用いたデータ収集を行うシステムにおいて、従来は困難であった携帯型情報端末３０へのデータの配信を容易に行うことができる。
【００８２】
なお、携帯型情報端末３０は、バーコードリーダ、２次元コードリーダ、ハンディターミナル、非接触ＩＣカードリーダ、磁気カードリーダなどの装置であっても良い。
【００８３】
なお、携帯型情報端末３０からホスト側装置１０へ送信する情報について、本実施の形態では一旦携帯型情報端末３０の情報格納部３１に格納したが、情報格納部３１に格納せず、読取情報を制御手段３６からそのまま送信部３３を介して携帯型通信端末２０に送信し、携帯型通信端末２０を介してホスト側装置１０に送信することもできる。
【００８４】
なお、携帯型通信端末２０としては、インターネット接続機能付き携帯電話や、ＰＨＳ、家庭用電話回線に接続して使用するデータ通信機器などが挙げられる。
【００８５】
また、携帯型情報端末３０と携帯型通信端末２０の間のインタフェースは通常は有線インタフェースであるが、携帯型通信端末２０が有する赤外線通信インタフェースを利用することもできる。
【００８６】
そして、ホスト側装置１０とは１台のパーソナルコンピュータで実現することもできるし、２台以上のコンピュータとインターネット技術、メール転送技術を用いて構成することもできる。
【００８７】
また、携帯型通信端末２０を経由してデータを送信する方法の代表的な手段として携帯型通信端末２０の有するメール機能が挙げられるが、近年出現した携帯型通信端末２０が有する、内部アプリケーションの搭載機能を利用して、携帯型通信端末２０と携帯型情報端末３０との間のデータ転送を行うことも可能である。ここで言う携帯型通信端末２０が有する内部アプリケーションの搭載機能の代表的な例としては、携帯型通信端末２０がインターネットを経由してダウンロードしたアプリケーションを携帯型通信端末２０の制御手段２１を利用して実行するアプリケーションの実行環境及び、実行アプリケーションが挙げられる。
【００８８】
なお、携帯型通信端末２０はホスト側装置１０からの送信データを受信する受信部２３と携帯型情報端末３０に対する送信部２５を備えているが、受信部２３からの受信データを格納する情報格納部２４を有し、情報格納部２４にホスト側装置１０からの受信データを保持することもできる。
【００８９】
なお、本実施の形態における動作設定ファイルの一例として、インターネット接続機能付き携帯電話に接続されるバーコードリーダにおいて、バーコードリーダの内部メモリに保持される接続するＷｅｂサイトのアドレス情報や、該当Ｗｅｂサイト内の各ページで、バーコードリーダがどのようなキー操作情報を送信するかを定めた動作パラメータ等の情報が挙げられる。
【００９０】
また、携帯型通信端末を経由して携帯型情報端末に配信された動作設定ファイルは、配信された状態のまま情報格納部に格納してもよいし、動作設定に必要な情報のみを抜き出して情報格納部に格納してもよい。
【００９１】
また、本実施の形態のデータ配信システムは、既に広範囲に配布・稼働している携帯情報端末の内部メモリに格納された携帯通信端末毎に異なるキー操作情報や携帯情報端末の動作設定情報、情報読取装置からの入力情報をキーとして検索するための商品マスタ等をホスト側装置から、携帯情報端末が接続されている携帯通信端末に対してデータ配信を行い、携帯情報端末から前記携帯通信端末を経由して該当データを受信し、携帯情報端末の内部メモリの内容を変更・追加可能とすることができる。
【００９２】
【発明の効果】
以上のように、本発明のデータ配信システムによれば、ホスト側装置より携帯型通信端末に対して必要な情報を送信することにより、携帯型通信端末を経由して携帯型情報端末に必要な情報を届けることが可能となる。したがって、ホスト側装置と通信可能な携帯型通信端末があれば、この携帯型通信端末を経由して目的とする携帯型情報端末に対してのデータ配信が可能である。
【００９３】
また、本発明のデータ配信システムによれば、携帯通信端末の機種毎の動作内容を規定する情報を、ホスト側装置から携帯通信端末を経由することにより携帯型情報端末の情報格納部に格納されている携帯型通信端末の機種毎の動作内容を規定する情報を配信することができる。
【００９４】
また、本発明のデータ配信システムによれば、携帯通信端末からの要求により、ホスト側装置は該当携帯通信端末に対して必要な情報を含むメールを送信する。これにより前記情報が不要なユーザに対して情報を送信することが無く、情報を必要とするユーザもしくは携帯型通信端末に限定して情報を配信することができる。
【００９５】
また、本発明のデータ配信システムによれば、広範囲に分散した携帯型情報端末に新規の携帯型通信端末を接続させる目的で、インターネット接続のキー操作情報を携帯情報端末の格納部に追加することが比較的容易となる。
【００９６】
また、本発明のデータ配信システムによれば、携帯情報端末内部に格納される情報に変更があった場合に、比較的容易に動作設定ファイルの配信を行うことができる。
【００９７】
また、本発明のデータ配信システムによれば、携帯情報端末の動作設定をホスト側装置から携帯情報端末の接続される携帯通信端末に対して送信することで、携帯情報端末の動作設定の全部または一部を変更することができる。
【００９８】
また、本発明のデータ配信システムによれば、情報を必要とするユーザにのみ情報を配信することができる。
【００９９】
また、本発明のデータ配信システムによれば、携帯情報端末による情報読み取り時に即座に該当製品の単価などの情報を知ることができる。
【０１００】
また、本発明のデータ配信システムによれば、携帯情報端末に必要な情報を送信ファイルとしてホスト側装置で管理することで、既存のインターネット等のシステムを利用して比較的容易にデータ配信システムを構築することができる。
【図面の簡単な説明】
【図１】データ配信システムの概略全体構成図
【図２】データ配信システムのブロック図
【図３】データ配信システムのデータ配信処理のフローチャート
【符号の説明】
１  第１の通信手段
２  第２の通信手段
１０  ホスト側装置
１１  情報格納部
１２  制御手段
１３  受信部
１４  データ入力手段
１５  情報配信部
２０  携帯型通信端末
２１  制御手段
２２  送信部
２３  受信部
２４  情報格納部
２５  送信部
２６  受信部
２７  キー入力部
３０  携帯型情報端末
３１  情報格納部
３２  受信部
３３  送信部
３４  情報読取手段
３５  表示部
３６  制御手段
１１１  ホスト側装置に格納する情報
１１２  動作設定情報
１１３  携帯型通信端末毎の動作情報
１１４  商品情報
３１１  動作設定情報
３１２  携帯型通信端末毎の動作情報
３１３  商品情報
３１４  ホスト側装置に格納する情報
【図１】
2004173041.tif 000003
【図２】
2004173041.tif 000004
【図３】
2004173041.tif 000005